(57)【要約】【課題】紙箱底面の凹凸や捩れをなくして、ローラーコンベヤー上での揺れ、蛇行を防止し、衝突による箱の変形、バーコード読取り不良などを防ぐ。【解決手段】４つの底面部１１、１２、１３、１４のうちの一つおきの底面部１２、１４に折り目を設け、組み立て時に２組の隣り合う底面部同士が共動するように、前記折り目を境にして折り曲げ、その部分をそれぞれ折り畳んだ状態で対向する底面部１１、１３の対向部分に接合し、底面部のうちの組み立てた状態で最も内側にある底面部１３の形状を、周縁部の大部分が側面部の対向面に沿う形とする。折り畳み状態から組み立てるのに都合がよいように、最も内側になる底面部に設けた略直角三角形の部分１３ｆを、箱の中央方向に折り曲げて重ね合わせることができ、かつ、紙箱を折り畳んだ状態の厚みを薄くするために、隣り合う底面部同士の重ね合わせ部分と、前記略直角三角形の部分とが重ならないようにする。【選択図】　　　　図１
2004142803.tif 000002
【特許請求の範囲】
【請求項１】
組み立てると直方体となり、折り畳むと略平板状となる組立て紙箱であって、
前記紙箱の側面を形成するために横方向に並んで隣接する４つの側面部と、
前記４つの側面部のそれぞれの下側に隣接し組み立てた状態で互いに少なくとも一部が重なり合って前記紙箱の底面を形成し折り畳んだ状態で前記４つの側面部の内側になる４つ底面部を含み、
前記４つの底面部のうちの一つおきの底面部に折り目を設け、組み立て時に２組の隣り合う底面部同士が共動するように前記折り目を境にして折り曲げた部分のそれぞれが折り畳んだ状態で対向する底面部の対向部分に結合されていて、
前記４つの底面部のうちの前記紙箱を組み立てた状態で最も内側にある底面部は、その組み立てた状態で切断周縁部の大部分が前記側面部の対向する内側面に沿うような形状であること
を特徴とする組立て紙箱。
【請求項２】
請求項１に記載の組立て紙箱において、
前記最も内側にある底面部は、隣接する側面部との境界線の一端とその境界線に平行な周縁部の１点を結ぶ仮想線に沿う折り目を備え、
その折り目を斜辺とする略直角三角形の部分を折り曲げてその底面部の他の部分に重ね合わせることができ、
紙箱の折り畳み状態において、前記略直角三角形の部分は、それを含む底面部と隣り合う底面部を接合するために重ね合わせた部分には重ならないこと
を特徴とする組立て紙箱。
【請求項３】
組み立てると直方体となり、折り畳むと略平板状となる組立て紙箱を作るための型紙であって、
前記紙箱の側面を形成するために横方向に並んで隣接する４つの側面部と、
前記側面部のうちの左端あるいは右端に隣接し左右の両端の側面部同士を接合するための側面結合部と、
前記４つの側面部のそれぞれの下端に隣接し組み立てた状態で互いに少なくとも一部が重なり合って前記紙箱の底面を形成し折り畳んだ状態で前記４つの側面部の内側になる４つ底面部を含み、
前記４つの底面部のうちの一つおきの底面部に、前記紙箱の組み立て時に共動するように隣り合わせの２組の底面部同士を結合する接着面を折り曲げるための折り目を備え、
組み立てた状態で前記４つの底面部のうちの最も内側になる底面部は、その状態で切断周縁部の大部分が前記側面部の対向する内側面に沿うような形状であること
を特徴とする組立て紙箱の型紙。
【発明の詳細な説明】
【０００１】
【発明の属する技術分野】
本発明は、折り畳まれた状態から組み立てて商品などを入れ、流通システムににおける発送先別の仕分け、運搬、保管などに供するための組立て紙箱とその型紙に関するものである。
【０００２】
【従来の技術】
従来、組み立て紙箱は、紙箱のみを保管、運搬するときには、折り畳んだ状態で取り扱い、組み立て後に商品などの内容物を入れ、上面を閉じて商品流通システムに供される。
このような組立て紙箱には種々のものがあり、図６は、その代表的なものの型紙（段ボール型紙）を示す展開図である。
【０００３】
図６において、組み立てられたときに側面を構成するのは、それぞれが左右に隣接する側面部２１、２２、２３、２４である。
上面を構成するのは、それぞれが前記側面部の上側に隣接する上面部２１ａ、２２ａ、２３ａ、２４ａである。
底面を構成するのは、それぞれが前記側面部の下側に隣接する底面部３１、３２、３３、３４である。
側面結合部２５は、側面部２１と２４を横に連結するために側面部２４に隣接して設けられたものである。
【０００４】
底面部３２、３４には、それぞれ破線で示す折り目３２ａ、３４ａが設けられている。
また、底面部３１、３２、３３、３４のそれぞれの横方向の寸法が、先端へ行く程、狭くしてあるのは、紙箱の折り畳み状態から組み立て状態に移行する際に、各側面部で囲まれた内部空間を拡げなければならないが、このとき、底面部の左あるいは右の端部が、対面する側面部の内側に当たって、この拡張を妨げないようにするためである。
なお、一対の底面部の折り目（隣接側面部との境界線）から先端までの長さは、底面の同一方向の長さの略半分であり、他の一対の底面部の折り目から先端までの長さは、底面の同一方向の長さの半分以下である。
【０００５】
型紙を折り畳み状態の紙箱にするためには、各底面部３１、３２、３３、３４の全体を、点線で示した折り目３１ｂ、３２ｂ、３３ｂ、３４ｂのところで内側に折り曲げた後、折り目３２ａ、３４ａによってそれぞれ底面部３２、３４の一部を折り曲げ、折り曲げられた略三角形の部分（図中二点鎖線で囲まれた部分）の３２ｃと３４ｃを、それぞれ図中左側の底面部３１の二点鎖線で囲んだ部分３１ｃの裏側、あるいは底面部３３の二点鎖線で囲んだ部分３３ｃの裏側に接着すればよい。
【０００６】
この接着によって、折り畳み時には、底面の中心部が内側で上方向に折り畳まれた形状となり、組み立てたときには、長方形の底面部を形成する紙箱とすることができる。
なお、折り畳み状態での側面部は、２１と２２及び２３と２４がそれぞれ対向し、上面部は２１ａと２２ａ及び２３ａと２４ａがそれぞれ対向する。
また、折り目２１ｂ、２２ｂ、２３ｂ、２４ｂは、この紙箱を組み立てて品物を入れた後に紙箱の蓋をするために、上面部２１ａ、２２ａ、２３ａ、２４ａを内側に折り曲げるためのものである。
【０００７】
【発明が解決しようとする課題】
上記のような従来の組み立て紙箱は、組み立て後に折り畳み状態に戻ろうとする力が働くために、中に入れる物品が軽い場合は容易に底の中心が浮き上がるとともに、底面が平行四辺形になろうとして、正しい長方形を維持することができない。このため、軽い内容物の場合には、底面が平滑にならない可能性がある。
この状態の紙箱を、流通システムで仕分けのためのピッキング作業用ローラーコンベヤーに載せ、紙箱の短側面を前に搬送すると、底面とローラーコンベヤー面の接触不均衡により、揺れが発生して紙箱は蛇行する。
その結果、案内板への衝突による外形の変形や、バーコード読み取りエラーが多発するという問題があった。
【０００８】
本発明の課題は、軽い内容物を入れた場合でも、底面の凹凸や捩れのない平面を維持することによって、ローラーコンベヤー搬送での揺れ、蛇行を防止し、常に正しい平行移動を可能にする組立て紙箱とその型紙を提供することである。
【０００９】
【課題を解決するための手段】
前記課題を解決するために、請求項１の発明は、組み立てると直方体となり、折り畳むと略平板状となる組立て紙箱であって、前記紙箱の側面を形成するために横方向に並んで隣接する４つの側面部（１、２、３、４）と、前記４つの側面部（１、２、３、４）のそれぞれの下側に隣接し組み立てた状態で互いに少なくとも一部が重なり合って前記紙箱の底面を形成し折り畳んだ状態で前記４つの側面部（１、２、３、４）の内側になる４つ底面部（１１、１２、１３、１４）を含み、前記４つの底面部（１１、１２、１３、１４）のうちの一つおきの底面部（１２、１４）に折り目（１２ａ、１４ａ）を設け、組み立て時に２組の隣り合う底面部（１１と１２、１３と１４）同士が共動するように前記折り目（１２ａ、１４ａ）を境にして折り曲げた部分（１２ｃ、１４ｃ）が、紙箱を折り畳んだ状態でそれぞれに対向する底面部（１１、１３）の対向部分（１１ｃ、１３ｃ）に結合されていて、前記４つの底面部（１１、１２、１３、１４）のうちの前記紙箱を組み立てた状態で最も内側にある底面部（１３）は、その組み立てた状態で切断周縁部の大部分が前記側面部の対向する内側面に沿うような形状であることを特徴とする組立て紙箱である。
【００１０】
請求項２の発明は、請求項１に記載の組立て紙箱において、前記最も内側にある底面部（１３）は、隣接する側面部（３）との境界線の一端とその境界線に平行な周縁部（１３ｅ）の１点を結ぶ仮想線に沿う折り目（１３ａ）を備え、その折り目（１３ａ）を一辺とする略直角三角形の部分（１３ｆ）を折り曲げてその底面部（１３）の他の部分に重ね合わせることができ、紙箱の折り畳み状態において、前記略直角三角形の部分（１３ｆ）はそれを含む底面部（１３）と隣り合う底面部（１４）を接合するために重ね合わせた部分（１４ｃ）には重ならないことを特徴とする組立て紙箱である。
【００１１】
請求項３の発明は、組み立てると直方体となり、折り畳むと略平板状となる組立て紙箱を作るための型紙であって、前記紙箱の側面を形成するために横方向に並んで隣接する４つの側面部（１、２、３、４）と、前記側面部（１、２、３、４）のうちの左端あるいは右端に隣接し左右の両端の側面部（１と４）同士を接合するための側面結合部（５）と、前記４つの側面部（１、２、３、４）のそれぞれの下端に隣接し組み立てた状態で互いに少なくとも一部が重なり合って前記紙箱の底面を形成し折り畳んだ状態で前記４つの側面部（１、２、３、４）の内側になる４つ底面部（１１、１２、１３、１４）を含み、前記４つの底面部（１１、１２、１３、１４）のうちの一つおきの底面部（１２、１４）に、前記紙箱の組み立て時に共動するように隣り合わせの２組の底面部（１１と１２、１３と１４）同士を結合する接着面を折り曲げるための折り目（１２ａ、１４ａ）を備え、組み立てた状態で前記４つの底面部（１１と１２、１３と１４）のうちの最も内側になる底面部（１３）は、その状態で切断周縁部の大部分が前記側面部の対向する内側面に沿うような形状であることを特徴とする組立て紙箱の型紙である。
【００１２】
【発明の実施の形態】
以下、図面などを参照して、本発明の実施形態について、さらに詳しく説明する。
図１は、本発明の組み立て紙箱の一例の組み立て途中の状態を示す説明図（斜視図）図である。
図２は、図１の組み立て紙箱に使われる型紙の一例を示す正面図である。
ただし、図２は組み立て紙箱の内側から開いた展開図を示すものでもある。
【００１３】
本実施形態の組み立て紙箱は、組み立てたとき直方体の紙箱となり、折り畳んだとき略平板状態となる組立て紙箱である。
紙箱が展開された状態で示される型紙は、図２に示すように、横方向に並んで隣接する４つの側面部１、２、３、４と、左右の両端の側面部１と４同士を接合するための側面結合部５と、側面部１、２、３、４のそれぞれの上端に隣接する４つの上面部１ａ、２ａ、３ａ、４ａと、側面部１、２、３、４のそれぞれの下端に隣接する４つ底面部１１、１２、１３、１４の各部分で構成されている。
【００１４】
紙箱が組み立てられた状態では、側面部１、２、３、４は、紙箱の４つの側面を形成する。４つの上面部１ａ、２ａ、３ａ、４ａは、互いに一部が重なり合って紙箱の上面を形成する。４つ底面部１１、１２、１３、１４は、互いに一部が重なり合って紙箱の底面を形成する。
ただし、組み立て状態で最も内側になる底面部１３は、その状態で下面の殆ど全部が、他の底面部１１、１２、１４の何れかに接触して重ね合わされる。
【００１５】
底面部１１、１２、１３、１４のうちの一つおきの底面部１２、１４は、紙箱の組み立て時に、底面部１１と１２、及び底面部１３と１４が共動するように、底面部１１と１２、底面部１３と１４のそれぞれ隣り合わせたもの同士が一部で接着されている。
底面部全体を側面部の内側に折り込むために、２組の底面部同士を接合した部分に沿って、折り目１２ａ、１４ａが設けられている。
また、組み立てた状態で最も内側になる底面部１３には、折り目１３ａが設けられている。
【００１６】
図２において、折り目１ｃ、２ｃ、３ｃ、４ｃを谷折りして箱の側面を形成し、折り目１ｂ、２ｂ、３ｂ、４ｂを谷折りして箱の上面を形成し、折り目１１ｂ、１２ｂ、１３ｂ、１４ｂを谷折りして箱の底面を形成する場合は、折り目１２ａ、１４ａは、それぞれ山折りとなる。
折り目１３ａは、紙箱が折り畳まれたとき山折り状態になる。
また、紙箱が折り畳まれた状態では、底面部１１、１２、１３、１４は、側面部１、２、３、４に囲まれて、その内側になる。
【００１７】
図３は、図１の組み立て紙箱の折り畳んだ状態を示す正面図である。
図４は、図３の折り畳み状態から組み立てる途中の状態を示す説明図（斜視図）である。
図５は、図４に続いて組み立ていく状態を示す説明図（斜視図）である。
図３に示す折り畳んだ状態から図１の状態、図４の状態、図５の状態を経て、直方体の形の組み立て状態（図示しない）に移行するためには、各側面部で囲まれた内部空間を拡張しなければならないが、辺１３ｄが側面部４の内面に当たることによって、この内部空間の拡張を妨げないように、組み立て前の紙箱の折り畳み状態で、底面部１３の折り目１３ａと辺１３ｄに挟まれる略直角三角形の部分１３ｆを、折り目１３ａによって折り曲げるようにしたものである。
【００１８】
紙箱折り畳み時の厚さは、できるだけ薄くすることが望ましい。
そこで、略直角三角形の部分１３ｆは、紙箱を折り畳んだ状態で、底面部１３と１４の重ね合わせ接合部と重ならないように、折り目１３ａと辺１３ｄに挟まれた頂角を１／４直角以下にしてある。
紙箱組み立て後は、折り目１３ａは伸ばされた状態となり、辺１３ｄは側面部４の内面に沿う形となる。
【００１９】
型紙を折り畳み状態の紙箱にするためには、各底面部１１、１２、１３、１４を、点線で示した折り目１１ｂ、１２ｂ、１３ｂ、１４ｂのところで内側に折り曲げた後、折り目１２ａ、１４ａによって底面部１２、１４の一部を、それぞれ隣接側面部１、４の反対側に折り曲げ、折り曲げられた部分１２ｃ、１４ｃ（図中二点鎖線で囲まれた部分）を、それぞれ底面部１１、あるいは底面部１３の一部１１ｃ、あるいは１３ｃ（図中二点鎖線で囲まれた部分）の裏側に接着すればよい。
【００２０】
この接着によって、折り畳み時には、底面の中心部が側面部の内側で上方向に折り畳まれた形状となり、組み立てたときには、長方形の平たい底面部を形成することができるようになる。
なお、折り畳み状態での側面部は、１と２、及び３と４がそれぞれ対向し、上面部は１ａと２ａ、及び３ａと４ａがそれぞれ対向する。
【００２１】
組み立てた状態で最も内側になる底面部１３の形状は、組み立て後は周縁部の切断面の大部分が側面部１、２、４の内側面の下端部の対向面に接近して沿うように、ほぼ四隅が直角で、底面一杯に近い大きさにしてある。
即ち、各部の長さは、紙素材の厚みを考慮して、底面部１３の図２で示す縦の辺１３ｄは、折り目１４ｂより僅かに短く、横の辺１３ｅは、折り目１１ｂより僅かに短くしてある。
【００２２】
また、折り目１３ｂに平行な辺（先端部）１３ｅには、浅い凹凸を付けてあるが、この凹凸は、紙箱組み立てで底部形成の最後に、辺１３ｅを押し下げる際の抵抗を少なくするとともに、一旦底面の所定の位置に達したら、その位置から元に戻るのを防ぐのに役立つ。そして、折り目１３ａの折り曲げ癖で、その付近を中心として再び浮き上がろうとするのを防ぐ。
このようにして、底面部１３の形状は、紙箱組み立て後の底面の凹凸のない正しい長方形を維持し、紙箱底面の型崩れを防止する。
【００２３】
（変形形態）
以上説明した実施形態に限定されることなく、種々の変形や変更が可能であって、それらも本発明の均等の範囲内である。
例えば、上面部は、その一部あるいは全部を省略してもよい。この場合は、底面部を組み立て、中身を入れてから上面を、一部又は全部が透明な紙、セロハンなどで覆う場合に適する。
また、型紙の素材は、段ボール以外の紙類一般で良く、側面部、上面部、底面部、各部の縦横寸法比などの形状も、図示したものと異なっていても、本発明の主旨に沿うものであれば、いずれも本発明に含まれる。
なお、組立ての際に折り曲がる片（底面部１２、１４）の一部は、コシをなくすために、段ボールを潰しておくことが好ましい。例えば、図２の型紙を打ち抜く型（刃付き木型）に、厚さ１０ｍｍ程度のコルクを貼ることにより、打ち抜きと同時に、潰すことができる。
【００２４】
【発明の効果】
以上詳しく説明したように、本発明によれば、組み立てると直方体となり、折り畳むと略平板状態となる組立て紙箱において、組み立てた状態で底面部のうちの最も内側にある底面部の形状を、その状態において切断周縁部の大部分が前記側面部の対向する内側面に沿う形とすることにより、組み立て後の紙箱底面の凹凸や捩れのない状態に保つことができるので、軽量物を入れた紙箱のローラーコンベヤー搬送での揺れ、蛇行を防止し、常に正しい平行移動を可能にし、バーコード読み取りエラーなどを防ぐことができるという効果がある。
【図面の簡単な説明】
【図１】本発明の実施形態例の折り畳み状態と組み立て状態の中間の状態例を示す説明図（斜視図）である。
【図２】図１の実施形態例の組み立て紙箱の型紙の一例を示す正面図である。
【図３】図１の実施形態例の折り畳み状態を示す正面図である。
【図４】図３の折り畳み状態から組み立てる途中の状態例を示す説明図（斜視図）である。
【図５】図４に続いて組み立てていく状態例を示す説明図（斜視図）である。
【図６】従来の組み立て紙箱の型紙の一例を示す正面図である。
【符号の説明】
１、２、３、４、２１、２２、２３、２４　紙箱の側面部
１ａ、２ａ、３ａ、４ａ、２１ａ、２２ａ、２３ａ、２４ａ　紙箱の上面部
５、２５　側面結合部
１１、１２、１３、１４、３１、３２、３３、３４　紙箱の底面部
１２ｃ、１４ｃ、３２ｃ、３４ｃ　底面結合部
１３ｆ　略直角三角形の部分
【図１】
2004142803.tif 000003
【図２】
2004142803.tif 000004
【図３】
2004142803.tif 000005
【図４】
2004142803.tif 000006
【図５】
2004142803.tif 000007
【図６】
2004142803.tif 000008